(57)【要約】【課題】使用者が任意の視聴位置をとっても最適な画質で視聴できる画面角度調整機能を有した可動式台座部を有する液晶テレビジョン受像機を提供する。【解決手段】可動式台座部を有する液晶テレビジョン受像機であって、前記可動台座の設置角度を検出する手段と、前記検出手段が検出した前記設置角度に応じて使用者に最適な画面視聴角度を取得し、取得した最適な設置角度に応じて設置角度を調整する台座角度制御手段を具備することを特徴とする。【選択図】図２
2006254028.tif 000002
【特許請求の範囲】
【請求項１】
可動式台座部を有する液晶テレビジョン受像機であって、前記可動台座の設置角度を検出する手段と、前記検出手段が検出した前記設置角度に応じて使用者に最適な画面視聴角度を取得し、取得した最適な設置角度に応じて設置角度を調整する台座角度制御手段を具備することを特徴とする液晶テレビジョン受像機。
【請求項２】
可動式台座部を有する液晶テレビジョン受像機における台座角度調整方法であって、前記可動台座の設置角度を検出するステップと、前記検出ステップが検出した前記設置角度に応じて使用者に最適な画面視聴角度を取得し、取得した最適な設置角度に応じて設置角度を変化させる台座角度制御ステップを具備することを特徴とする台座角度制御方法。
【発明の詳細な説明】
【技術分野】
【０００１】
本発明は、液晶テレビジョン受像機に関し、更に詳しくはリモコン発信機からの信号によって使用者と液晶画面との偏移角度を検出し、駆動制御部を有する台座によって画面角度の調節を行うことで、使用者に常に液晶画面の視野角による画質の劣化を起こさない最適な角度で液晶画面を視聴することを可能とするテレビジョン受像機、またはそれらに用いられるコンピュータープログラムに関するものである。
【０００２】
ここで調整した画面角度の情報は、使用者が最後に視聴した際の視聴位置に最適化された画面角度のデータであり、これらはテレビジョン受像機内部の記憶装置に記憶させる。
【背景技術】
【０００３】
通常、液晶テレビは画面を見る角度によって画質が大きく変わる特性を持ち、視聴する画面角度によっては画質が劣化して画面が非常に見えにくくなってしまう。そのため液晶テレビはその台座が可動式の外形を持ち、使用者が手動で視聴角度を調整することができる構造を持つ。
【０００４】
一方、使用者の命令により視聴角度を変更することができるテレビジョン受像機の台座は公知である（例えば、特許文献１参照）。
【特許文献１】実開平５−５２５８８２号公報
【発明の開示】
【発明が解決しようとする課題】
【０００５】
上述のように液晶テレビにおいてはその特性から視聴する画面角度によって大きく画質が変化してしたうため、設置においてはあらかじめ視聴する位置を想定して画面角度を決めておく必要があった。そのため使用者は設置の状態によって視聴する位置を特定されてしまうため不便であった。また、液晶テレビの中にはその台座部が可動する構造を持っており使用者が任意に画面角度を変更することが可能な構造を持つものもあるが、その調整方法が手動もしくは煩雑な操作を必要としたり、使用者の方向の特定があいまいで調整角度が不正確であったりするなどの弊害があった。
【０００６】
そこで本発明は液晶テレビの画面角度と使用者の位置を正確に検出することにより、その設置状態を検出して駆動制御可能な台座を制御して画面角度を自動的に調整することにより、使用者がその視聴位置に関わらず自動的に最適な画質を得られる画面角度でテレビ画面を視聴できる環境を提供することを目的とする。
【課題を解決するための手段】
【０００７】
上記課題を解決するために本発明に関わる詠唱テレビジョン受像機は、可動式台座部を有する液晶テレビジョン受像機であって、前記可動台座の設置角度を検出する手段と、前記検出手段が検出した前記設置角度に応じて使用者に最適な画面視聴角度を取得し、取得した最適な設置角度に応じて設置角度を調整する台座角度制御手段を具備したものである。
【０００８】
また、本発明は可動式台座部を有する液晶テレビジョン受像機における台座角度調整方法であって、前記可動台座の設置角度を検出するステップと、前記検出ステップが検出した前記設置角度に応じて使用者に最適な画面視聴角度を取得し、取得した最適な設置角度に応じて設置角度を変化させる台座角度制御ステップを具備するものである。
【発明の効果】
【０００９】
本発明の可動式台座部を有する液晶テレビジョン受像機によれば、リモコン発信機からの信号を検出することにより、その状態の使用者と画面角度を検出して可動式台座部を用いて画面角度を制御する攻勢にしたことから、自動的に液晶テレビの画面角度を自動的に調節することができると共に、使用者が任意の視聴位置で常に最適な画質でテレビ番組を視聴する環境を提供できる効果がある。
【発明を実施するための最良の形態】
【００１０】
以下、本発明を実施するための実施の形態を図１から図５を用いて説明する。なお本発明は実施の形態に何ら限定されるものではなく、要旨を逸脱しない範囲においては態様で実施され得る。
【００１１】
（実施の形態１）
図１は本実施の形態における可動式台座部を有する液晶テレビジョン受像機におけるハードウェア構成図である。図１において１１はリモコン発信機から発信される位置検出信号を受信するリモコン信号検知部である。また１２は１１が受信した検出信号からその発信方向を検出する設置角度検出部である。１３は液晶テレビの状態制御を行う制御部である。１４は制御角度を記憶するメモリーなどの書き換え可能な記憶部である。１５は液晶テレビの台座部をモーターなどで駆動制御する制御部である。１６は１５の駆動部により角度が変化できる液晶パネルなどの表示部である。
【００１２】
図２は実施の形態１の全体的な外形の一例を示したものである。図２において２１は液晶パネル画面である。２２はリモコン発信機からの検出信号を受信する検知部である。２３はモーターなどによる駆動制御部を有する垂直方向に回転可能な台座軸である。２４はモーターなどによる駆動制御部を有する水平方向に回転可能な台座軸である。２５は位置検出信号を発信するリモコン発信機である。
【００１３】
図３は図２で示したリモコン信号検知部２２の詳細な構成の一例を示す図であり、リモコン検知部２２を上方から見た図となっている。２２ａはリモコン信号検知部本体である。２２ｂは位置検出信号の発信方位を特定するフィルタである。２２ｃは検出信号の入射角度を検出する検出部である。２２ｄは任意の位置のリモコン発信機を示す。図３は水平方向の位置検出の例であるが、上下方向においても同様の構成を持つ。
【００１４】
図４は実施の形態１の検出装置から得られるリモコン信号の発信位置と現在の設置角度の状態とを判断し、画面角度を最適な角度に調整する制御部１３の詳細な構成を示す図である。図４において１３ａは画面角度の情報を統合処理する情報制御部（以降ＣＰＵと記す）である。１３ｂはＣＰＵ１３ａに接続された各手段を制御するためのコンピュータープログラムが格納されたプログラムＲＯＭであり、１３ｃはＣＰＵ１３ａがデータの書き込み、読み出し、などの制御を行うために用いられる。１３ｃはＣＰＵ１３ａが画面角度を最適化するにあたりその角度情報を統合処理する際の情報を一時的にデータを格納するためのワークＲＡＭである。１３ｄはリモコン信号検知部１１より検出信号の方位を入力する入力部である。１３ｅはリモコンの方位と現在の画面角度から最適な画面角度にする制御データを制御する制御部であり、１３ｆは得られた画面角度を制御するデータを記憶する記憶部である。１３ｇは液晶テレビ画面の角度を変化させる駆動部である。
【００１５】
次に本実施の形態１による可動式台座部を有する液晶テレビジョン受像機の動作について説明する。まず、使用者はテレビを視聴する際の任意の位置においてリモコン発信機２５上のボタンを押して方向検出信号をリモコン信号検知部１１に入力する。この方向検出信号は指向性のある光出力を使用する。そのため使用者はリモコン発信機２５から出力される光の光点をリモコン信号検知部２２に照射することで可視的かつ容易に検出信号を正しく検出部に送信できる。リモコン信号検知部２２はフィルタ２２ｂによって検出信号の入力方向を制限し、入射角度検出部２２ｃへ入る入力信号の方向を特定する。従ってリモコン発信機２２ｄがどの位置から検出信号を発信しても検出部２２ｃはその信号の入射角度を正確に特定することができる。検出部２２ｃで得られた検出信号の入射角度は設置角度検出部１３に入力される。設置角度検出部１３は検出部２２ｃより得られた検出信号の角度よりテレビ画面をその方位に向ける最適な角度を検出し制御部１３に入力する。制御部１３は得られた最適なテレビ画面の角度から調整が必要な画面角度を算出してその結果を角度情報制御部に記憶する。制御部１３は得られた調整必要な画面角度を用いて台座駆動制御部１５に対して通知を行い垂直方向に回転可能な台座軸２３および水平方向に回転可能な台座軸２４を動作させて表示部１６の角度を検出信号が入力された方向に調整する。
【００１６】
次に検出信号の入射角度とテレビ画面の画面角度とを関連付けて処理を行う手段の動作を以下に説明する。
【００１７】
使用者はリモコン発信機２５を用いて使用者の視聴位置を発信する。（図５のステップ１）。リモコン検出部１１は入力された検出信号を設置角度検出部１２に渡してリモコンの位置と画面角度を検出する。（図５のステップ２）。制御部１３は設置角度検出部１２によって得られた画面角度を設置角度入力部１３ｄより得てワークＲＡＭ１３Ｃに格納する。
【００１８】
ＣＰＵ１３ａは角度情報制御部１３ｅを用いて、設置角度入力部１３ｄより得られた画面角度と角度情報記憶部１３ｆより取得した現在の画面角度との垂直、水平方向の角度差分を求めて、検出信号が入射した方向と垂直、水平方向で直行する画面位置となるために必要な差分角度の変化量を得る。（図５のステップ３）得られた調整必要な変化量は現在の画面角度情報として角度情報記憶部１３ｆに記憶される。ＣＰＵ１３ａは得られた調整必要な画面角度のデータを台座駆動制御部１３ｇに通知して台座の駆動部を垂直方向に台座軸２３、水平方向に台座軸２４を用いて制御して画面角度をリモコンの検出信号が入力してきた方向に変化させる（図５のステップ４）。
【００１９】
このような画面角度制御方法を用いることにより使用者は任意の視聴位置においても容易にかつ自動的に最適な画面角度でテレビ番組を視聴することが可能となる。
【００２０】
以上のように本発明の可動式台座部を有する液晶テレビジョン受像機または受像方法によれば、使用者のテレビ視聴位置に制限を与えること無く、容易かつ自動的にその時の視聴位置に最適な画面角度でテレビ画面を視聴する環境を提供することが可能となる。
【００２１】
なお、本実施の形態では光信号による方位検出装置と、垂直と水平の稼動軸を持つ可動台座よる形態を提示したが、これがその他の検出および可動の形態であっても本発明の制御手段、方法によって容易に実施することができる。
【産業上の利用可能性】
【００２２】
本発明の可動式台座部を有する液晶テレビジョン受像機は使用者が任意の視聴位置において容易に最適な画面角度を得ることができる効果を有し、テレビ受像機などのＡＶ機器制御の分野において有用である。
【図面の簡単な説明】
【００２３】
【図１】本発明における可動式台座部を有する液晶テレビジョン受像機のハードウェア構成図の一例を示した図
【図２】本発明における可動式台座部を有する液晶テレビジョン受像機の一例を示した図
【図３】本発明におけるリモコン信号検知部の構成の一例を示した図
【図４】本発明における制御部の構成の一例を示した図
【図５】本発明における処理を示したフローチャート
【符号の説明】
【００２４】
１１    リモコン信号検知部
１２    設置角度検出部
１３    制御部
１３ａ    ＣＰＵ
１３ｂ    プログラムＲＯＭ
１３ｃ    ワークＲＡＭ
１３ｄ    設置角度入力部
１３ｅ    角度情報制御部
１３ｆ    角度情報記憶部
１３ｇ    台座駆動制御部
１４    角度情報記憶部
１５    台座有働制御部
１６    表示部
２１    液晶パネル画面
２２    リモコン信号検知部
２２ａ    リモコン信号検出部本体
２２ｂ    検出方位フィルタ
２２ｃ    入射角度検出部
２２ｄ    任意位置のリモコン発信機
２３    垂直方向可動台座軸
２４    水平方向可動台座軸
２５    リモコン発信機
【図１】
2006254028.tif 000003
【図２】
2006254028.tif 000004
【図３】
2006254028.tif 000005
【図４】
2006254028.tif 000006
【図５】
2006254028.tif 000007